(57)【要約】  移動通信システムにおいて、向上した上りリンクを支援するために直交可変拡散コードを効率よく割り当てる方法を提供する。本発明は、非同期符号分割多重接続（ＷＣＤＭＡ）システムにおいて、向上した上りリンク専用の伝送チャンネル（ＥＵＤＣＨ）が用いられる状況を想定する。この発明は、下りリンク物理チャンネル（ＤＰＤＣＨ）及び高速な順方向パケットサービスを支援する物理チャンネル（ＨＳ−ＤＰＣＣＨ）に割り当てられた直交可変拡散指数（ＯＶＳＦ）コードを上記向上した上りリンクを支援するデータチャンネル（Ｅ−ＤＰＤＣＨ）に各ＴＴＩごとに動的に割り当てて最大伝送可能なＥ−ＤＰＤＣＨのコードチャンネルの数を増やす方法を提供する。これにより、上記ＥＵＤＣＨデータレートを高められると共に、ノードＢにＥ−ＤＰＤＣＨ／ＤＰＤＣＨ／ＨＳ−ＤＰＣＣＨデータを正常に復調することが可能になる。
2007519363.tif 000002
【特許請求の範囲】
【請求項１】
移動通信システムにおける、ユーザー端末が同じ直交可変拡散指数（ＯＶＳＦ）コードを共有して相異なるサービスを支援する方法において、
第２のサービスのためのパケットデータの量を考慮して最大割り当て可能なチャンネルの数を確かめるステップと、
前記第２のサービスとは異なる第１のサービスのために設定されたチャンネルの数を確かめるステップと、
前記第２のサービスのために決められたチャンネルに、前記第１のサービスのために設定されたチャンネルに対応して割り当てられたＯＶＳＦコードを再割り当てて前記第２のサービスのためのパケットデータを拡散して伝送するステップと、を含むことを特徴とする前記方法。
【請求項２】
前記第２のサービスは、向上したパケットデータを支援するサービスであることを特徴とする請求項１に記載の前記方法。
【請求項３】
前記第１のサービスは、高速な順方向パケットデータを支援するサービスであるか、あるいは、逆方向パケットデータを支援するサービスであることを特徴とする請求項１に記載の前記方法。
【請求項４】
ユーザー端末は、前記向上したパケットデータを伝送するためのチャンネルに、前記高速な順方向パケットデータを支援するためのチャンネルに対応して割り当てられたＯＶＳＦコードを再割り当てて前記向上したパケットデータを伝送することを特徴とする請求項１に記載の前記方法。
【請求項５】
ユーザー端末は、前記向上した上りリンクデータを伝送するためのチャンネルに、前記逆方向パケットデータを支援するためのチャンネルに対応して割り当てられたＯＶＳＦコードの逆順に前記ＯＶＳＦコードを再割り当てて前記向上したパケットデータを伝送することを特徴とする請求項１に記載の前記方法。
【請求項６】
ユーザー端末は、前記向上した上りリンクデータを伝送するためのチャンネルに、前記逆方向パケットデータを支援するためのチャンネルに対応して割り当てられたＯＶＳＦコードを除く前記ＯＶＳＦコードを順次に再割り当てて前記向上したパケットデータを伝送することを特徴とする請求項１に記載の前記方法。
【請求項７】
移動通信システムにおける、ユーザー端末が向上したパケットデータを伝送する方法において、
ユーザー端末が同時に最大伝送可能な向上した上りリンク専用の物理データチャンネル（Ｅ−ＤＰＤＣＨ）の数を決めるステップと、
前記向上したパケットサービスのために必要となる直交可変拡散指数（ＯＶＳＦ）コードの数と決められた前記Ｅ−ＤＰＤＣＨの数とを比較するステップと、
前記Ｅ−ＤＰＤＣＨの数が多ければ、前記向上したパケットデータを伝送時点で伝送されていない専用物理チャンネル（ＤＰＤＣＨ）に割り当てられたＯＶＳＦコードを逆順に前記Ｅ−ＤＰＤＣＨに再割り当てるステップと、を含むことを特徴とする前記方法。
【請求項８】
前記ＯＶＳＦコードを再割り当てるステップは、
前記ユーザー端末が、Ｅ−ＤＰＤＣＨのために定められた（Ｑ、４、３）、（Ｉ、４、２）、（Ｑ、４、２）の順番でＯＶＳＦコードを割り当てるステップと
Ｅ−ＤＰＤＣＨをさらに伝送する場合、前記ＤＰＤＣＨのために定められた（Ｉ、４、１）、（Ｑ、４、１）、（Ｉ、４、３）の順番のＯＶＳＦコードを逆順に前記Ｅ−ＤＰＤＣＨに再割り当てるステップと、を含むことを特徴とする請求項７に記載の前記方法。
【請求項９】
前記ユーザー端末は、前記最大伝送可能なＥ−ＤＰＤＣＨの数を把握できる伝送フォーマット情報を含む制御チャンネルと、前記ＤＰＤＣＨとは逆順にＯＶＳＦコードが割り当てられた前記Ｅ−ＤＰＤＣＨを基地局に伝送するステップをさらに含むことを特徴とする請求項７に記載の前記方法。
【請求項１０】
移動通信システムにおける、基地局が向上したパケットサービスを支援する方法において、
基地局が最大伝送可能な向上した上りリンク専用の物理データチャンネル（Ｅ−ＤＰＤＣＨ）の数を示す伝送フォーマット情報を含む制御チャンネルと前記Ｅ−ＤＰＤＣＨを受信するステップと、
前記Ｅ−ＤＰＤＣＨの数が前記向上したパケットサービスのために割り当てられた直交可変拡散指数（ＯＶＳＦ）コードの数よりも多いかどうかを確かめるステップと、
前記Ｅ−ＤＰＤＣＨの数が多ければ、（Ｑ、４、３）、（Ｉ、４、２）、（Ｑ、４、２）の順番で割り当てられたＯＶＳＦコードを用いて前記Ｅ−ＤＰＤＣＨを復調し、前記ＤＰＤＣＨのために（Ｉ、４、１）、（Ｑ、４、１）、（Ｉ、４、３）の順番で割り当てられたＯＶＳＦコードの逆順にＥ−ＤＰＤＣＨをさらに復調して前記向上したパケットデータを受信するステップと、を含むことを特徴とする前記方法。
【請求項１１】
移動通信システムにおける、ユーザー端末が向上したパケットサービスを支援する方法において、
ユーザー端末が同時に最大伝送可能な向上した上りリンク専用の物理データチャンネル（Ｅ−ＤＰＤＣＨ）の数を決めるステップと、
前記向上したパケットサービスのために必要となる直交可変拡散指数（ＯＶＳＦ）コードの数と前記決められたＥ−ＤＰＤＣＨの数とを比較するステップと、
前記Ｅ−ＤＰＤＣＨの数が多ければ、前記向上したパケットデータを伝送時点で伝送されていない専用物理チャンネル（ＤＰＤＣＨ）に割り当てられたＯＶＳＦコードを順次にＥ−ＤＰＤＣＨに再割り当てるステップと、を含むことを特徴とする前記方法。
【請求項１２】
前記ＯＶＳＦコードを再割り当てるステップは、
前記ユーザー端末が前記ＤＰＤＣＨのために定められた（Ｉ、４、１）、（Ｑ、４、１）、（Ｉ、４、３）、（Ｑ、４、３）、（Ｉ、４、２）、（Ｑ、４、２）のＯＶＳＦコードのうち前記ＤＰＤＣＨのために用いられたＯＶＳＦコードを除く残りのＯＶＳＦコードを順次に前記Ｅ−ＤＰＤＣＨに再割り当てることを特徴とする請求項１１に記載の前記方法。
【請求項１３】
前記ユーザー端末が高速な順方向パケットサービスのために定められた（Ｑ、４、１）のＯＶＳＦコードを除く（Ｉ、４、１）、（Ｉ、４、３）、（Ｑ、４、３）、（Ｉ、４、２）、（Ｑ、４、２）のＯＶＳＦコードを順次に前記Ｅ−ＤＰＤＣＨに再割り当てることを特徴とする請求項１１に記載の前記方法。
【請求項１４】
移動通信システムにおける、基地局が向上したパケットサービスを支援する方法において、
基地局が最大伝送可能な向上した上りリンク専用の物理データチャンネル（Ｅ−ＤＰＤＣＨ）の数を示す伝送フォーマット情報を含む制御チャンネルと前記Ｅ−ＤＰＤＣＨを受信するステップと、
前記Ｅ−ＤＰＤＣＨの数が前記向上したパケットサービスのために割り当てられた直交可変拡散指数（ＯＶＳＦ）コードの数よりも多いかどうかを確かめるステップと、
前記Ｅ−ＤＰＤＣＨの数が多ければ、前記ＤＰＤＣＨのために定められた（Ｉ、４、１）、（Ｑ、４、１）、（Ｉ、４、３）、（Ｑ、４、３）、（Ｉ、４、２）、（Ｑ、４、２）のＯＶＳＦコードのうち前記ＤＰＤＣＨのために用いられたＯＶＳＦコードを除く残りのＯＶＳＦコードを順次に用いて前記Ｅ−ＤＰＤＣＨを復調して前記向上したパケットデータを受信するステップと、を含むことを特徴とする前記方法。
【発明の詳細な説明】
【技術分野】
【０００１】
本発明は移動通信システムに係り、さらに詳しくは、向上した上りリンク専用の伝送チャンネル（Enhanced Uplink Dedicated transport Channel、以下、「ＥＵＤＣＨ」と称する。）サービスによる上りリンク物理チャンネルに対する最適な直交可変拡散指数（Orthogonal Variable Spreading Factor、以下、「ＯＶＳＦ」と称する。）コード及びＩ／Ｑ（in-phase/quadrature-phase）チャンネルの割り当て方法に関する。
【背景技術】
【０００２】
現在、移動通信システムは、上りリンクにおけるユーザー信号の伝送のための代表的な専用物理チャンネルとして、専用物理データチャンネル（Dedicated Physical Data Channel、以下、「ＤＰＤＣＨ」と称する。）と専用の物理制御チャンネル（Dedicated Physical Control Channel、以下、「ＤＰＣＣＨ」と称する。）を用いている。ここで、上記ＤＰＤＣＨは、音声や映像などのユーザーデータが伝送されるデータ伝送チャンネルであり、上記ＤＰＣＣＨは、ＤＰＤＣＨのフレームフォーマットとＤＰＤＣＨ復調及び電力制御のためのパイロットなどの情報が載せられる制御情報伝送チャンネルである。
これと関連し、近年、パケットデータの伝送速度及び効率を高めるために、向上した上りリンクデータ専用の伝送チャンネルであるＥＵＤＣＨを用いる技術が提案されている。
【０００３】
図１は、上りリンク伝送を行うためにユーザー端末と基地局との間に送受される情報を示す図である。
図１を参照すると、上記ＵＥ１１０、１１２、１１４、１１６は、上記ノードＢ１００との離隔距離に応じて、相異なる送信電力をもって上記パケットデータを送信している。上記ノードＢ１００から最も遠くにある上記ＵＥ１１０は、最も高い逆方向チャンネルの送信電力１２０をもってパケットデータを送信し、上記ノードＢから最も近くにある上記ＵＥ１１４は、最も低い逆方向チャンネルの送信電力１２４をもって上記パケットデータを送信する。上記ノードＢ１００は、上記移動通信システムの性能を高めるために、上記逆方向チャンネルの送信電力の強度と上記データレートを反比例するようにスケジューリングすることができる。すなわち、逆方向チャンネルの送信電力が最も高いＵＥに対しては低いデータレートを割り当て、上記逆方向チャンネルの送信電力が最も低いＵＥに対しては高いデータレートを割り当てる。
【０００４】
図２は、上りリンク伝送を行うためにユーザー端末と基地局との間に送受される情報を示す図である。すなわち、図２は、ＥＵＤＣＨを介してパケットデータを伝送するために、ノードＢ２００とＵＥ２０２との間に要される基本的な手続きを示している。
図２を参照すると、ステップＳ２１０において、上記ノードＢ２００と上記ＵＥ２０２との間にＥＵＤＣＨを設定する。上記ステップＳ２１０は、専用の伝送チャンネルを介してのメッセージの送受信段階を含む。上記ステップＳ２１０を行った上記ＵＥ２０２は、ステップＳ２１２において、上記ノードＢ２００に所要のデータレートに関する情報、上りリンクチャンネルの状況が察知可能な情報を伝送する。上記上りリンクチャンネルの状況が察知可能な情報には、上記ＵＥ２０２が伝送する上りチャンネル送信電力と上記ＵＥ２０３の送信電力マージンなどがある。
【０００５】
上記上りチャンネル送信電力を受信した上記ノードＢ２００は、上記上りチャンネルの送信電力と受信電力を比較して下りチャンネルの状況を推定することができる。すなわち、上記上りチャンネル送信電力と上りチャンネル受信電力との差分が小さければ、上りチャンネルの状況は良好であると見なされ、上記送信電力と受信電力との差分が大きければ、上記上りチャンネルの状況は不良であると見なす。上りリンクチャンネルの状況を推定するために、上記ＵＥが送信電力マージンを伝送する場合には、上記送信電力マージンを既知のＵＥの最大可能な送信電力から差し引くことにより、上記ノードＢ２００は上記上りリンク送信電力を推定することができる。上記ノードＢ２００は、上記推定した上記ＵＥ２０２のチャンネル状況と上記ＵＥ２０２が必要とするデータレートに関する情報を用いて、上記ＵＥ２０２の上りリンクパケットチャンネルのための最大可能なデータレートを決める。
【０００６】
上記決められた最大可能なデータレートは、ステップＳ２１４において、上記ＵＥ２０２に報知される。上記ＵＥ２０２は、報知された最大可能なデータレートの範囲内で伝送すべきパケットデータのデータレートを決め、ステップＳ２１６において、上記ノードＢ２００に上記決められたデータレートをもって上記パケットデータを伝送する。
【０００７】
ここで、上記ＥＵＤＣＨサービスを支援する上り物理チャンネルは、専用物理データチャンネル（Dedicated Physical Data Channel、以下、「ＤＰＤＣＨ」と称する。）と、専用物理制御チャンネル（Dedicated Physical Control Channel、以下、「ＤＰＣＣＨ」と称する。）、ＨＳＤＰＡサービスのための専用物理制御チャンネル（High Speed Dedicated Physical Control Channel、以下、「ＨＳ−ＤＰＣＣＨ」と称する。）、ＥＵＤＣＨサービスのための専用物理データチャンネル（Enhanced Dedicated Physical Data Channel、以下、「Ｅ−ＤＰＤＣＨ」と称する。）、ＥＵＤＣＨサービスのための専用物理制御チャンネル（Enhanced Dedicated Physical Control Channel、以下、「Ｅ−ＤＰＣＣＨ」と称する。）を含む。
【０００８】
すなわち、上記ステップＳ２１６において、ＵＥ２０２は、上記Ｅ−ＤＰＤＣＨのフレームフォーマット及びチャンネルコーディング情報などを報知するために、制御チャンネルであるＥ−ＤＰＣＣＨを伝送し、上記Ｅ−ＤＰＤＣＨを介してパケットデータを伝送する。ここで、上記Ｅ−ＤＰＣＣＨは、上記ＵＥ２０２が必要とする上りリンクデータレート、送信電力マージンなどの伝送と上記ノードＢ２００がＥ−ＤＰＤＣＨの復調のために必要とするパイロット情報の伝送にも使用可能である。
【０００９】
前述したように、ＥＵＤＣＨパケットデータの伝送のために、既存の物理チャンネルに別途の物理チャンネルをさらに伝送すると、上りリンクから伝送される物理チャンネルの数が増え、これによって上りリンク送信信号の最大電力に対する平均電力の比（ＰＡＰＲ）が増大するという問題が生じる。通常、上記ＰＡＰＲは、同時に伝送される物理チャンネルの数が増えるに伴って増加する。
【００１０】
また、上記ＰＡＰＲの増加は、送信信号のひずみ及び許容された帯域外への隣り合うチャンネル電力漏れ（ＡＣＬＲ：Adjacent Channel Leakage power Ratio）の増加をもたらすため、ＵＥの無線周波数（Radio Frequency、以下、「ＲＦ」と称する。）電力増幅器においては、電力バックオフを必要とする。このとき、上記ＵＥが電力バックオフを行うと、その結果、ノードＢの受信機には受信電力の減少が起こり、受信データの誤り率が増加する。
【００１１】
これにより、ＵＥは、上記ＰＡＰＲ増加を抑えるために、上記ＥＵＤＣＨを別途の物理チャンネルに載せて伝送することなく、ＤＰＤＣＨなどの既存の物理チャンネルに時分割して伝送しようとしてした。ところが、上記ＥＵＤＣＨを既存の物理チャンネルに時分割して伝送すれば、実現上の複雑性が増すという欠点が存在する。
【００１２】
以上の点を考慮に入れて、ＷＣＤＭＡシステムは、上りリンクにおいて、上記物理チャンネルを相互間の直交性を満足するＯＶＳＦコードに掛けて伝送する方法を提案している。上記ＯＶＳＦコードに掛けられたそれぞれの物理チャンネルは、ノードＢにおいて区分可能である。
【００１３】
図３は、通常、ＷＣＤＭＡシステムに用いられるＯＶＳＦコードのツリー構造を示している。
図３を参照すると、上記ＯＶＳＦコードは、下記式１から下記式３までの演算過程により簡単に生成可能である。
【００１４】
【数１】
2007519363.tif 000003
【数２】
2007519363.tif 000004
【数３】
2007519363.tif 000005
【００１５】
図３に示すように、上記ＯＶＳＦコードは、同じ拡散指数（Spreading Factor、以下、「ＳＦ」と称する。）を持つコード間には、相互直交性が成り立つという特性を有する。
そして、相異なるＳＦ値を持つ両コード間には、大きなＳＦ値を持つコードが前式３を用いて小さなＳＦ値を持つコードから生成できない場合、直交性が成り立つ。これを例に取って説明すると、下記の通りである。
すなわち、ＳＦ＝４の場合、Ｃｃｈ、４、０＝（１、１、１、１）はＣｃｈ、２、１＝（１、−１）とは直交性が成り立つが、Ｃｃｈ、２、０＝（１、１）とは直交性が成り立たない。
【００１６】
また、他の例として、ＳＦ＝２５６のＯＶＳＦコードと上記Ｃｃｈ、２、０＝（１、１）を比較すると、ＯＶＳＦコードのインデックスが０〜１２７のコードは上記Ｃｃｈ、２、０＝（１、１）から生成されるため、相互直交性が成り立たない。すなわち、高いデータ伝送速度が要されるほど、低いＳＦ値のＯＶＳＦコードが用いられ、多数の物理チャンネルを同時に伝送する場合、必ず互いに直交性が成り立つように上記ＯＶＳＦコードを割り当てなければならない。
【００１７】
一方、両物理チャンネルが同じＯＶＳＦコードを用いるとしても、それぞれ送信機のＩチャンネルとＱチャンネルに分けられて伝送されると、受信機において、両物理チャンネル信号を互いに干渉無しに分離して復調することができる。その理由は、ＩチャンネルとＱチャンネルを介して伝送される信号が互いに９０°の位相差を持つ搬送波に載せられて伝送されるためである。
【００１８】
前述したように、上りリンクＰＡＰＲの増加は、上りリンクにおいて同時に伝送される物理チャンネルの数と各物理チャンネルとの電力比と、各物理チャンネルに用いられるＯＶＳＦコード、および各物理チャンネルのＩ／Ｑチャンネル割り当てによって異なる。
【００１９】
また、現在のＷＣＤＭＡシステムは、多数本のＤＰＤＣＨが同時に伝送されるか、あるいは、下りリンクにおける高速な下りパケット接近（High Speed Down-link Packet Access、以下、「ＨＳＤＰＡ」と称する。）サービスのための上りリンクＨＳ−ＤＰＣＣＨがさらに伝送される場合、上記ＰＡＰＲの増加を抑えるためにＤＰＤＣＨ及びＨＳ−ＤＰＣＣＨに対して適切なＯＶＳＦコード及びＩ／Ｑチャンネル割り当てを適用している。そして、現在のＲｅｌ−５ＷＣＤＭＡ標準規格においては、ＤＰＤＣＨの場合、初期の呼びの設定時に最大伝送可能なＤＰＤＣＨの数を定めて、それに必要な分だけのＯＶＳＦコードをＤＰＤＣＨ用として割り当てる。
【００２０】
このため、限られて無線資源を用いる現在の移動通信システムにおいて、高速なＥＵＤＣＨデータレートを成し遂げるためには、上りリンクＯＶＳＦコードを効率よく活用してＥ−ＤＰＤＣＨに割り当てることのできる技術が望まれる。すなわち、高速なＥＵＤＣＨデータサービスを提供するためには、上りリンクに適用可能なＯＶＳＦコードをＥ−ＤＰＤＣＨに最大限に割り当てる必要がある。
【発明の開示】
【発明が解決しようとする課題】
【００２１】
そこで、上述した如き従来の技術の問題点を解消するために、本発明の目的は、移動通信システムにおいて、上りリンクを支援する物理チャンネルのＯＶＳＦコードを効率よく割り当てる方法を提供するところにある。
【００２２】
本発明の他の目的は、非同期移動通信システムにおいて、向上した上りリンクを介してパケットデータを伝送するためにＯＶＳＦコードを効率よく割り当てる方法を提案するところにある。
【００２３】
本発明のさらに他の目的は、上りリンクを支援する移動通信システムにおいて、相異なるサービスを支援する物理チャンネルに割り当てられた直交コードを向上した上りリンクパケット伝送のための物理チャンネルに再利用する方法を提供するところにある。
【課題を解決するための手段】
【００２４】
上記の本発明の目的を達成するために、本発明の実施の形態は、移動通信システムにおける、ユーザー端末が同じＯＶＳＦコードを共有して相異なるサービスを支援する方法において、第２のサービスのためのパケットデータの量を考慮して最大割り当て可能なチャンネルの数を確かめるステップと、上記第２のサービスとは異なる第１のサービスのために設定されたチャンネルの数を確かめるステップと、上記第２のサービスのために決められたチャンネルに、上記第１のサービスのために設定されたチャンネルに対応して割り当てられたＯＶＳＦコードを再割り当てて上記第２のサービスのためのパケットデータを拡散して伝送するステップと、を含むことを特徴とする。
【００２５】
上記の本発明の目的を達成するために、本発明の他の実施の形態は、移動通信システムにおける、ユーザー端末が向上したパケットデータを伝送する方法において、ユーザー端末が同時に最大伝送可能なＥ−ＤＰＤＣＨの数を決めるステップと、上記向上したパケットサービスのために必要となるＯＶＳＦコードの数と決められた上記Ｅ−ＤＰＤＣＨの数とを比較するステップと、上記Ｅ−ＤＰＤＣＨの数が多ければ、上記向上したパケットデータを伝送時点で伝送されていないＤＰＤＣＨに割り当てられたＯＶＳＦコードを逆順に上記Ｅ−ＤＰＤＣＨに再割り当てるステップと、を含むことを特徴とする。
【００２６】
上記の本発明の目的を達成するために、本発明のさらに他の実施の形態は、移動通信システムにおける、基地局が向上したパケットサービスを支援する方法において、基地局が最大伝送可能なＥ−ＤＰＤＣＨの数を示す伝送フォーマット情報を含む制御チャンネルと上記Ｅ−ＤＰＤＣＨを受信するステップと、上記Ｅ−ＤＰＤＣＨの数が上記向上したパケットサービスのために割り当てられたＯＶＳＦコードの数よりも多いかどうかを確かめるステップと、上記Ｅ−ＤＰＤＣＨの数が多ければ、（Ｑ、４、３）、（Ｉ、４、２）、（Ｑ、４、２）の順番で割り当てられたＯＶＳＦコードを用いて上記Ｅ−ＤＰＤＣＨを復調し、上記ＤＰＤＣＨのために（Ｉ、４、１）、（Ｑ、４、１）、（Ｉ、４、３）の順番で割り当てられたＯＶＳＦコードの逆順にＥ−ＤＰＤＣＨをさらに復調して上記向上したパケットデータを受信するステップと、を含むことを特徴とする。
【００２７】
上記の本発明の目的を達成するために、本発明のさらに他の実施の形態は、移動通信システムにおける、ユーザー端末が向上したパケットサービスを支援する方法において、ユーザー端末が同時に最大伝送可能なＥ−ＤＰＤＣＨの数を決めるステップと、上記向上したパケットサービスのために必要となるＯＶＳＦコードの数と上記決められたＥ−ＤＰＤＣＨの数とを比較するステップと、上記Ｅ−ＤＰＤＣＨの数が多ければ、上記向上したパケットデータを伝送時点で伝送されていないＤＰＤＣＨに割り当てられたＯＶＳＦコードを順次にＥ−ＤＰＤＣＨに再割り当てるステップと、を含むことを特徴とする。
【００２８】
上記の本発明の目的を達成するために、本発明のさらに他の実施の形態は、移動通信システムにおける、基地局が向上したパケットサービスを支援する方法において、基地局が最大伝送可能なＥ−ＤＰＤＣＨの数を示す伝送フォーマット情報を含む制御チャンネルと上記Ｅ−ＤＰＤＣＨを受信するステップと、上記Ｅ−ＤＰＤＣＨの数が上記向上したパケットサービスのために割り当てられたＯＶＳＦコードの数よりも多いかどうかを確かめるステップと、上記Ｅ−ＤＰＤＣＨの数が多ければ、上記ＤＰＤＣＨのために定められた（Ｉ、４、１）、（Ｑ、４、１）、（Ｉ、４、３）、（Ｑ、４、３）、（Ｉ、４、２）、（Ｑ、４、２）のＯＶＳＦコードのうち上記ＤＰＤＣＨのために用いられたＯＶＳＦコードを除く残りのＯＶＳＦコードを順次に用いて上記Ｅ−ＤＰＤＣＨを復調して上記向上したパケットデータを受信するステップと、を含むことを特徴とする。
【発明の効果】
【００２９】
本発明は、ユーザー端末がＥＵＤＣＨサービスを支援するに当たって、より高いデータレートを提供するために、ＤＰＤＣＨ及びＨＳ−ＤＰＣＣＨのＯＶＳＦコードを各ＴＴＩ（Transmission Time Interval、以下、「ＴＴＩ」と称する。）ごとに動的にＥ−ＤＰＤＣＨに割り当てる方法を提案する。また、ＨＳ−ＤＰＣＣＨの伝送有無によってさらにＥ−ＤＰＤＣＨにＯＶＳＦコードを割り当ててより高いデータレートを支援することができるという効果を有する。これにより、ＵＥが使用可能なＯＶＳＦコードをＥＵＤＣＨデータの伝送に最大限に使用可能にすることにより、ＥＵＤＣＨデータレートを高めることができる。
【発明を実施するための最良の形態】
【００３０】
以下、添付した図面に基づき、本発明に係る好適な実施の形態を詳細に説明する。本発明を説明するに当たって、関連する公知の機能あるいは構成についての詳細な説明が本発明の要旨を余計に曖昧にすると認められる場合、その詳細な説明を省く。
【００３１】
本発明は、ＥＵＤＣＨパケットデータの伝送のための制御チャンネルであるＥ−ＤＰＣＣＨとデータチャンネルであるＥ−ＤＰＤＣＨが既存の物理チャンネルに加えて伝送される場合、ＯＶＳＦコード及びＩ／Ｑチャンネルを動的に用いる方法を提案する。本発明の技術は、上りリンクにおいてさらに求められるシグナリングオーバーヘッドを極力抑えると共に、Ｅ−ＤＰＤＣＨを介してＥＵＤＣＨデータの伝送効率を極大化させることを目指す。
【００３２】
また、本発明は、既存のＲｅｌ−９９及びＲｅｌ−５ＷＣＤＭＡ標準規格と互換性を取って既存のＤＰＤＣＨ、ＤＰＣＣＨ及びＨＳ−ＤＰＣＣＨのチャンネルの割り当て規則には影響しないようにする。
【００３３】
このとき、上記ＥＵＤＣＨサービスを支援するに当たって、上記ＥＵＤＣＨパケットデータは高速な伝送率を必要とするため、上記Ｅ−ＤＰＤＣＨは、多数のチャンネルが同時に伝送可能である。これに対し、制御物理チャンネルであるＥ−ＤＰＣＣＨは、概ね１本のチャンネルが伝送可能である。ここで、上記Ｅ−ＤＰＣＣＨは、ＵＥのバッファ状態を伝送したり、ノードＢが上りリンクチャンネルの状況を推定するのために必要となる情報である上りリンク送信電力、上りリンク送信電力マージン、チャンネル状態情報などを伝送する。また、上記Ｅ−ＤＰＣＣＨは、上記Ｅ−ＤＰＤＣＨに伝送されるＥＵＤＣＨサービスのためのパケットデータ伝送フォーマット識別子（ＥＵＤＣＨ−Transport Format Indicator：Ｅ−ＴＦＩ）を伝送する。一方、上記Ｅ−ＤＰＤＣＨは、上記ＥＵＤＣＨサービスのための専用物理データチャンネルであって、上記ノードＢから報知されたスケジューリング情報に基づいて決められたデータレートを用いてパケットデータを伝送する。
【００３４】
このため、本発明においては、上記ＤＰＤＣＨ及びＨＳ−ＤＰＣＣＨに割り当てられたＯＶＳＦコードを各ＴＴＩごとに動的に割り当てることにより、同時に伝送可能なＥ−ＤＰＤＣＨの数を増やす方法を提案する。
前者の場合は、ＤＰＤＣＨに用いられるコードとＥ−ＤＰＤＣＨに用いられるコードが予め割り当てられる場合である。
【００３５】
すなわち、現在のＲｅｌ−５ＷＣＤＭＡ標準規格でのように、初期の呼びの設定時に定められる最大伝送可能なＤＰＤＣＨの数を考慮して、ＤＰＤＣＨのためのＯＶＳＦコードを割り当てた後、上記ＤＰＤＣＨ及びＨＳ−ＤＰＣＣＨなどの他の物理チャンネルに割り当てられていないＯＶＳＦコードをＥ−ＤＰＤＣＨのために割り当てる。換言すれば、各ＴＴＩごとにＥ−ＤＰＤＣＨの最大限に伝送可能なチャンネルの数によって既に割り当てられたＥ−ＤＰＤＣＨ用のコードを選択してＥ−ＤＰＤＣＨの伝送に用いる。このとき、上記Ｅ−ＤＰＤＣＨのデータレートを満足しない場合、上記ＤＰＤＣＨ及びＨＳ−ＤＰＣＣＨに割り当てられたＯＶＳＦコードをＥ−ＤＰＤＣＨにさらに用いるようにして最大伝送可能なＥ−ＤＰＤＣＨの数を増やすのである。
【００３６】
後者の場合は、前者の場合とは異なり、Ｅ−ＤＰＤＣＨの伝送に用いられるコードが予め割り当てられず、各ＴＴＩごとにＤＰＤＣＨ、ＤＰＣＣＨ、ＨＳ−ＤＰＣＣＨなどの物理チャンネルの伝送に使用できずに残ったコードをＥ−ＤＰＤＣＨの伝送に用いるようにする場合である。これにより、Ｅ−ＤＣＨデータの伝送時における物理チャンネルコードの使用効率を高めることができる。
【００３７】
上記の場合、相異なるＴＴＩで伝送されるＥ−ＤＰＤＣＨの数が同じであるとしても、該当ＴＴＩで伝送されるＤＰＤＣＨの数によってＥ−ＤＰＤＣＨに用いられるＯＶＳＦコードが異なる場合がある。
【００３８】
上記両場合ともに、Ｅ−ＤＰＤＣＨデータの復調のためには基地局がＥ−ＤＰＤＣＨに用いられたＯＶＳＦコード情報を知ることが必須である。このためには、ＵＥが基地局にＥ−ＤＰＤＣＨの伝送に用いられたコードをシグナリングすることが必要である。このとき、上記の如きシグナリングオーバーヘッドの増加は、上りリンクシステムの容量減少及びセルカバーレッジの減少をもたらす。
【００３９】
このため、本発明は、上記シグナリングオーバーヘッドのさらなる増加を生じないつつ、各ＴＴＩごとにＤＰＤＣＨ及びＨＳ−ＤＰＣＣＨなどの他の物理チャンネルに用いられないＯＶＳＦコードをＥ−ＤＰＤＣＨに動的に使用可能にする技術を提案するものである。
【００４０】
これにより、本発明は、上記２つの実施の形態に対応してＥ−ＴＦＩが伝送されるＥＵＤＣＨデータブロックの大きさ（ビット数）情報とチャンネルコーディング情報だけで設定して、ノードＢにＥ−ＤＰＤＣＨデータを正常に復調可能にする。
これと関連し、下記表１は、ＨＳ−ＤＰＣＣＨが設定されない場合、Ｅ−ＤＰＤＣＨのＩ／Ｑチャンネル及びＯＶＳＦコードの割り当てを例示している。
【００４１】
【表１】
2007519363.tif 000006
【００４２】
前述したように、現在のＲｅｌ−５ＷＣＤＭＡ標準規格において、多数本のＤＰＤＣＨが伝送されるとき、ＤＰＤＣＨは、データレートによってＳＦＤＰＤＣＨを４として適用する場合、（Ｉ、４、１）、（Ｑ、４、１）、（Ｉ、４、３）、（Ｑ、４、３）、（Ｉ、４、２）、（Ｑ、４、２）などのＯＶＳＦコードが順番に用いられる。これにより、Ｅ−ＤＰＤＣＨは、上記６個のコードのうち最大伝送可能なＤＰＤＣＨの数を考慮してＤＰＤＣＨ用として予め割り当てられたものを除く残りのコードをＥＵＤＣＨパケットデータレートによって所要数だけ用いることができる。
【００４３】
上記表１において、最大伝送可能なＤＰＤＣＨの数が１である場合、ＥＵＤＣＨデータを伝送するＥ−ＤＰＤＣＨのために最大５個のコードが使用可能である。上記表１において、ＳＦＥ＿ＤＰＤＣＨとしては、４、８、１６、３２、６４、１２８、２５６、５１２などが適用可能である。すなわち、Ｅ−ＤＰＤＣＨのＳＦＥ＿ＤＰＤＣＨを４として適用する場合、ＥＵＤＣＨは、データレートによってＥ−ＤＰＤＣＨ１をＱチャンネルにおいてＯＶＳＦコード（４、１）を用いて伝送し、Ｅ−ＤＰＤＣＨ２は、ＩチャンネルにおいてＯＶＳＦコード（４、３）を用いて伝送する。また、Ｅ−ＤＰＤＣＨ３は、ＱチャンネルにおいてＯＶＳＦコード（４、３）を用いて、そして、Ｅ−ＤＰＤＣＨ４は、ＩチャンネルにおいてＯＶＳＦコード（４、２）を用いて伝送する。また、第５のＥ−ＤＰＤＣＨは、ＱチャンネルにおいてＯＶＳＦコード（４、２）を用いて伝送するようにさらに割り当て可能である。
【００４４】
これに対し、上記表１の例と関連して、ＤＰＤＣＨが最大１本伝送可能であり、ＨＳ−ＤＰＣＣＨが（Ｑ、２５６、６４）に設定された場合、Ｅ−ＤＰＤＣＨは、４つのＯＶＳＦコード（Ｉ、ＳＦＥ＿ＤＰＣＣＨ、ＳＦＥ＿ＤＰＣＣＨ／２＋ＳＦＥ＿ＤＰＣＣＨ／４）、（Ｑ、４、３）、（Ｉ、４、２）、（Ｑ、４、２）によって、そしてＥＵＤＣＨデータレートによって順番にさらに割り当てられる。ここで、Ｑチャンネルにおいて、ＯＶＳＦコード（４、１）は上記ＨＳ−ＤＰＣＣＨが（Ｑ、２５６、６４）に割り当てられているため、Ｅ−ＤＰＤＣＨのために用いることは困難である。
【００４５】
前述したように、最大伝送可能なＥ−ＤＰＤＣＨの数は、最大伝送可能なＤＰＤＣＨの数とＨＳ−ＤＰＣＣＨの存否によって決められる。また、上記ＤＰＤＣＨがマルチコードを用いて伝送される場合、上記Ｅ−ＤＰＤＣＨが専用可能なＯＶＳＦコードの数が減るため、最大伝送可能なＥ−ＤＰＤＣＨの数もまた減る。このため、上記ＥＵＤＣＨデータレートが下がる。
【００４６】
これと関連して、本発明の第１の実施の形態及び第２の実施の形態においては、上記ＤＰＤＣＨ及びＨＳ−ＤＰＣＣＨに割り当てられたＯＶＳＦコードをＥ−ＤＰＤＣＨに再利用して上記最大伝送可能なＥ−ＤＰＤＣＨの数を増やす方法を提案する。
【００４７】
第１の実施の形態
第１の実施の形態において、上記ＤＰＤＣＨ及びＨＳ−ＤＰＣＣＨに割り当てられたＯＶＳＦコードをＥ−ＤＰＤＣＨに用いる具体的な方法は、下記の通りである。
【００４８】
１）ＨＳ−ＤＰＣＣＨが設定されない場合
最大伝送可能なＤＰＤＣＨの数が３であり、且つ、ＨＳ−ＤＰＣＣＨは設定されていない場合、ＤＰＤＣＨは、（Ｉ、４、１）、（Ｑ、４、１）、（Ｉ、４、３）を用いて最大３つまでのマルチコードの伝送が可能である。そこで、Ｅ−ＤＰＤＣＨが使用可能なＯＶＳＦコードは、上記表１に示すように、（Ｑ、４、３）、（Ｉ、４、２）、（Ｑ、４、２）の３つのコードを用いてマルチコードの伝送が可能である。
【００４９】
このとき、Ｅ−ＤＰＤＣＨが自分に割り当てられた（Ｑ、４、３）、（Ｉ、４、２）、（Ｑ、４、２）の３つのコードを用いてもデータレートを満足しない場合、上記ＤＰＤＣＨに割り当てられたコードをＥ−ＤＰＤＣＨの伝送時に再利用してデータレートを満足させる。すなわち、最大６本のＥ−ＤＰＤＣＨが伝送可能である。
これは、下記表２に示すように、Ｅ−ＤＰＤＣＨの伝送のためにさらにＤＰＤＣＨコードを用いてノードＢに上記Ｅ−ＤＰＤＣＨとＤＰＤＣＨの両方を正常に復調可能にする。
【００５０】
【表２】
2007519363.tif 000007
【００５１】
上記表２に示すように、第１の実施の形態によるＯＶＳＦコードの割り当て方法は、さらなるＥ−ＤＰＤＣＨの伝送のために上記ＤＰＤＣＨに割り当てる逆順にＥ−ＤＰＤＣＨのＯＶＳＦコードを割り当てるようにしている。
【００５２】
例えば、上記の場合、同時に伝送されるＥ−ＤＰＤＣＨの数が４本であれば、Ｅ−ＤＰＤＣＨのために割り当てられた（Ｑ、４、３）、（Ｉ、４、２）、（Ｑ、４、２）の３つのコードを順次に用い、さらに伝送したいＥ−ＤＰＤＣＨ４に対して上記ＤＰＤＣＨに割り当てられたＯＶＳＦコードの逆順にある（Ｉ、４、３）を用いる。ここで、上記（Ｉ、４、３）コードは、ＤＰＤＣＨが３本伝送される場合、最後の３番目のＤＰＤＣＨに割り当てられるコードである。すなわち、本発明は、ＤＰＤＣＨにおけるプライオリティーが最も低いＯＶＳＦコード（Ｉ、４、３）をＥ−ＤＰＤＣＨ４にさらに割り当てて上記Ｅ−ＤＰＤＣＨとＤＰＤＣＨとの直交性を維持すると共に、Ｅ−ＤＰＤＣＨのデータレートを満足させる。
【００５３】
他の例として、同時に伝送されるＥ−ＤＰＤＣＨの数が５本である場合には、ＤＰＤＣＨ用に割り当てられた上記（Ｉ、４、３）コードとさらなる（Ｑ、４、１）コードをＥ−ＤＰＤＣＨ４及びＥ−ＤＰＤＣＨ５に割り当てる。
【００５４】
これに対し、上記ＤＰＤＣＨが伝送されないＴＴＩでは、Ｅ−ＤＰＤＣＨは上記ＤＰＤＣＨに順次に割り当てられた（Ｉ、４、１）、（Ｑ、４、１）、（Ｉ、４、３）の３つのコードを逆順にして、つまり、（Ｑ、４、３）、（Ｉ、４、２）、（Ｑ、４、２）、（Ｉ、４、３）、（Ｑ、４、１）、（Ｉ、４、１）の順に最大６本のＥ−ＤＰＤＣＨを伝送することが可能になる。このとき、上記ＳＦＥ＿ＤＰＤＣＨが４である場合を説明する。
【００５５】
２）ＨＳ−ＤＰＣＣＨが（Ｑ、２５６、６４）コードとして設定される場合
ＨＳ−ＤＰＣＣＨは（Ｑ、２５６、６４）コードを用い、且つ、ＤＰＤＣＨは（Ｉ、ＳＦ、ＳＦ／４）コードを用いる場合、Ｅ−ＤＰＤＣＨは上記ＨＳ−ＤＰＣＣＨ若しくはＤＰＤＣＨが伝送されないＴＴＩでは、上記（Ｑ、４、１）及び（Ｉ、４、１）をＥ−ＤＰＤＣＨの伝送に再利用することが可能である。
【００５６】
具体的に、ＨＳ−ＤＰＣＣＨには、ＨＳＤＰＡサービスのためのＡＣＫ／ＮＡＣＫ信号と下りリンクチャンネル状態情報を報知するＣＱＩが載せられて伝送される。上記ＡＣＫ／ＮＡＣＫ信号は、下りリンクにおいてＨＳＤＰＡパケットが受信されたときに限って伝送され、上記ＣＱＩは初期のＨＳＤＰＡサービスの設定時に定められた２ｍｓのＴＴＩで伝送されるため、ＨＳ−ＤＰＣＣＨもまたＥ−ＤＰＤＣＨの伝送に再利用することが可能である。特に、ＨＳ−ＤＰＣＣＨは、ノードＢとＵＥの両方が伝送タイミングを正確に知っているため、Ｅ−ＤＰＤＣＨのためのコードの再利用が容易である。
【００５７】
このため、Ｅ−ＤＰＤＣＨは、自分に割り当てられた（Ｑ、４、３）、（Ｉ、４、２）、（Ｑ、４、２）の３つのコードを用いた後、データレートを満足できず、さらにＥ−ＤＰＤＣＨを設定する場合、ＨＳ−ＤＰＣＣＨの使用有無を考慮してチャンネルを割り当てる。また、上記使用しないＤＰＤＣＨのコードとは逆順にＯＶＳＦコードを割り当てて用いる。上記のように、Ｅ−ＤＰＤＣＨにＤＰＤＣＨ及びＨＳ−ＤＰＣＣＨのコードを再利用可能にするためには、当該ＥＵＤＣＨパケットデータの伝送時にＵＥから伝送されるＤＰＤＣＨ及びＥ−ＤＰＤＣＨの数をノードＢが正確に知っていることが必要である。これが保証できなければ、ノードＢがＤＰＤＣＨ及びＥ−ＤＰＤＣＨデータを正常に復調することが不可能である。
【００５８】
図４は、本発明の第１の実施の形態による、ＤＰＤＣＨコードを再利用するユーザー端末の送信動作を示す図である。
図４を参照すると、高いデータレートでＥＵＤＣＨパケットデータを伝送したい場合、ステップＳ４００において、ＵＥは上記データレートに比例して多数のＥ−ＤＰＤＣＨを必要とする。このため、ＵＥは、当該ＥＵＤＣＨパケットデータを伝送すべきタイミング（ＴＴＩ）でＤＰＤＣＨが何本伝送されるかを確かめ、上記ＴＴＩで使用されていないＤＰＤＣＨコードを把握する。
【００５９】
ステップＳ４０２において、上記ＵＥは、上記ＴＴＩでＤＰＤＣＨの伝送に使用されていないコードまでを考慮に入れて、ＥＵＤＣＨパケットデータレートを満足して同時に伝送すべきＥ−ＤＰＤＣＨの数（Ｎ）を決める。
【００６０】
ステップＳ４０４において、上記ＵＥは、上記ＴＴＩで伝送されるＥ−ＤＰＤＣＨの数をノードＢが察知可能にＥ−ＴＦＩを設定する。上記したＤＰＤＣＨコードの再活用の方法を適用する場合、Ｅ−ＴＦＩには、既存のＤＰＤＣＨ伝送フォーマット指示子（ＴＦＣＩｌ：Transport Format Combination Indicator)と同様、伝送されるＥＵＤＣＨデータブロックの大きさ（ビット数）とチャンネルコーディング情報のみを報知するだけで十分である。ノードＢは、上記情報から伝送されたＥ−ＤＰＤＣＨの数が察知可能であり、これより、Ｅ−ＤＰＤＣＨに用いられたＯＶＳＦコードも察知可能である。
【００６１】
ステップＳ４０６において、ＵＥは、同時に伝送されるＥ−ＤＰＤＣＨの数（Ｎ）がＥ−ＤＰＤＣＨ専用のＯＶＳＦコードを用いて伝送可能なチャンネル数（Ｍ）よりも多いかどうかを確かめる。上記ステップＳ４０６において、上記同時に伝送されるＥ−ＤＰＤＣＨの数（Ｎ）がＥ−ＤＰＤＣＨ専用のＯＶＳＦコードを用いて伝送可能なチャンネル数（Ｍ）よりも多ければ、ステップＳ４０８へ進む。
【００６２】
ステップＳ４０８において、ＵＥは、ＤＰＤＣＨに割り当てられたコードのうちＤＰＤＣＨがマルチコードを伝送時に割り当てるコードの逆順にＥ−ＤＰＤＣＨに必要となるチャンネルの数（Ｎ−Ｍ）分を割り当てる。
【００６３】
ステップＳ４１０において、Ｅ−ＤＰＤＣＨ専用のＯＶＳＦコードをＥ−ＤＰＤＣＨに割り当てる。そして、上記表１に示すように、最大伝送可能なＤＰＤＣＨの数が３本である場合、上記ＤＰＤＣＨに割り当てられた（Ｉ、４、１）、（Ｑ、４、１）、（Ｉ、４、３）の３つのコードが割り当てられる逆順に、すなわち、（Ｉ、４、３）、（Ｑ、４、１）、（Ｉ、４、１）の順にＥ−ＤＰＤＣＨにさらに割り当てられる。
【００６４】
これに対し、上記同時に伝送されるＥ−ＤＰＤＣＨの数（Ｎ）がＥ−ＤＰＤＣＨ専用のＯＶＳＦコードを用いて伝送可能なチャンネル数（Ｍ）よりも少ない場合（Ｎ＜Ｍ）には、上記Ｎに見合う分だけのＥ−ＤＰＤＣＨ専用のコードをＥ−ＤＰＤＣＨに割り当てる。ステップＳ４１２において、ＵＥは、決められたＯＶＳＦコードを用いて拡散されたＥ−ＤＰＤＣＨをノードＢに伝送する。このとき、上記ステップＳ４０４において設定されたＥ−ＴＦＩも一緒に伝送する。上記設定されたＥ−ＴＦＩは、Ｅ−ＤＰＤＣＨ若しくはＥ−ＤＰＣＣＨを介して伝送される。
【００６５】
図５は、本発明の第１の実施の形態による、ＤＰＤＣＨコードを再利用する基地局の受信動作を示す図である。
図５を参照すると、ステップＳ５００において、ノードＢは、上記ＴＴＩで上りリンク物理チャンネルを受信する。ステップＳ５０２において、ノードＢは、Ｅ−ＤＰＤＣＨのデータを復調するために、先ずＥ−ＴＦＩに対する復調及び復号を行う。そして、上記Ｅ−ＴＦＩから設定されたＴＴＩで伝送されたＥ−ＤＰＤＣＨの数を確かめる。このとき、ノードＢは、後述する手法により、上記受信されたＥ−ＤＰＤＣＨに用いられたＯＶＳＦコードも察知可能である。
【００６６】
ステップＳ５０４において、ノードＢは、上記Ｅ−ＤＰＤＣＨの数（Ｎ）がＥ−ＤＰＤＣＨ専用に割り当てられたＯＶＳＦコードの数（Ｍ）よりも多いかどうかを確かめる。上記ステップＳ５０４において、上記ＮがＭよりも多ければ、ステップＳ５０６へ進む。
【００６７】
ステップＳ５０６において、ノードＢは、ＤＰＤＣＨのマルチコードの伝送に割り当てられるコードの逆順に上記Ｅ−ＤＰＤＣＨにＯＶＳＦコードが割り当てられることを把握し、すなわち、上記第１の実施の形態によるＥ−ＤＰＤＣＨのためのＯＶＳＦコードの再活用の規則による上記Ｅ−ＤＰＤＣＨに応じたコードをＥ−ＤＰＤＣＨデータ復調器に割り当てる。
【００６８】
ステップＳ５０８において、Ｅ−ＤＰＤＣＨの伝送に用いられたＥ−ＤＰＤＣＨ専用のコードを上記Ｅ−ＤＰＤＣＨデータ復調器に割り当てる。また、逆順に再利用されたＤＰＤＣＨのコードを用いて、上記Ｅ−ＤＰＤＣＨデータ復調器に割り当てる。このため、上記Ｅ−ＤＰＤＣＨに伝送されたデータを確かめる。これに対し、上記ステップＳ５０４において、Ｎ＜Ｍである場合、ステップＳ５０８において、ノードＢは、Ｅ−ＤＰＤＣＨに用いられたＥ−ＤＰＤＣＨコードを予め定められた規則によって察知可能であるため、当該コードをＥ−ＤＰＤＣＨデータ復調器に割り当てる。すなわち、このとき、Ｎ＜ＭによってＵＥがＥ−ＤＰＤＣＨ専用のＯＶＳＦコードを用いて伝送されることを把握し、ステップＳ５１０において、ノードＢは、割り当てられたＯＶＳＦコードを用いてＥ−ＤＰＤＣＨデータ復調器においてＥ−ＤＰＤＣＨ信号を復調する。
【００６９】
一方、ＤＰＤＣＨの復調のためには、ノードＢは、ＤＰＣＣＨを介して伝送されたＤＰＤＣＨのＴＦＣＩを復調することにより、ＵＥが伝送したＤＰＤＣＨの数を察知することができる。これにより、上記ＤＰＤＣＨのＯＶＳＦコードの割り当て規則によって、ノードＢは、ＤＰＤＣＨの伝送に用いられたＯＶＳＦコードを察知し、ＤＰＤＣＨを正常に復調することができる。これは、上記ＵＥが上記ＤＰＤＣＨコードの割り当て規則をそのまま維持しながら、ＤＰＤＣＨの伝送に未使用のＯＶＳＦコードだけをＥ−ＤＰＤＣＨにさらに割り当てるため、ＵＥとノードＢがそれぞれＤＰＤＣＨを伝送して復調するのに影響しないためである。
【００７０】
そして、上記したＤＰＤＣＨコードの再利用方法を適用することにより、ノードＢは、ＤＰＤＣＨのＴＦＣＩ情報を復調することなく、Ｅ−ＤＰＤＣＨに用いられたコード情報が察知可能であるため、Ｅ−ＤＰＤＣＨの復調及びＨＡＲＱの動作にタイムラグが生じない。
【００７１】
図６及び図７は、ＤＰＤＣＨ及びＨＳ−ＤＰＣＣＨコードをＥ−ＤＰＤＣＨに再利用する場合のユーザー端末の送信動作とノードＢの受信動作を示す図である。
図６は、本発明によりＨＳ−ＤＰＣＣＨのコードを再利用するユーザー端末の送信動作を示す図である。
図６を参照すると、ステップＳ６００において、コードの再利用のために、ＵＥは、ＨＳ−ＤＰＣＣＨとＤＰＤＣＨが当該ＥＵＤＣＨＴＴＩで伝送されるかどうかを確かめる。すなわち、上記ＴＴＩでＤＰＤＣＨ及びＨＳ−ＤＰＣＣＨの伝送に未使用のコードが存在するかとＨＳ−ＤＰＣＣＨの伝送有無を確かめる。
【００７２】
ステップＳ６０２において、上記ＵＥは、上記ＴＴＩでＤＰＤＣＨの伝送に未使用のコードまでを考慮に入れて、ＥＵＤＣＨパケットデータレートを満足して同時に伝送するＥ−ＤＰＤＣＨの数（Ｎ）を決める。ステップＳ６０４において、上記ＵＥは、上記ＴＴＩで伝送されるＥ−ＤＰＤＣＨ数をノードＢが察知するようにＥ−ＴＦＩを設定する。
【００７３】
ステップＳ６０６において、ＵＥは、同時に伝送されるＥ−ＤＰＤＣＨの数（Ｎ）がＥ−ＤＰＤＣＨ専用のＯＶＳＦコードを用いて伝送可能なチャンネル数（Ｍ）よりも多いかどうかを確かめる。上記ステップＳ６０６において、上記同時に伝送されるＥ−ＤＰＤＣＨの数（Ｎ）がＥ−ＤＰＤＣＨ専用のＯＶＳＦコードを用いて伝送可能なチャンネル数（Ｍ）よりも多ければ、ステップＳ６０８へ進む。
【００７４】
ステップＳ６０８において、ＵＥは、Ｅ−ＤＰＤＣＨのために１つのコードをさらに用いる状況であるかどうかを確かめ、そうであれば、ステップＳ６１０へ進む。
ステップＳ６１０において、ＵＥは、先ず、ＨＳ−ＤＰＣＣＨが当該ＥＵＤＣＨＴＴＩで伝送されるかどうかを確かめる。このとき、上記ＨＳ−ＤＰＣＣＨが伝送されなければ、ステップＳ６１４へ進む。ステップＳ６１４において、上記ＵＥは、上記ＨＳ−ＤＰＣＣＨに割り当てられた（Ｑ、４、１）コードをＥ−ＤＰＤＣＨのためにさらに割り当てる。すなわち、上記ＴＴＩでサービスされないＨＳ−ＤＰＣＣＨに割り当てられた（Ｑ、４、１）コードを上記Ｅ−ＤＰＤＣＨのために再利用する。これに対し、上記ステップＳ６１０において、上記ＨＳ−ＤＰＣＣＨが上記ＴＴＩで同時に伝送されると、ステップＳ６１２へ進む。ステップＳ６１２において、ＵＥは、ＤＰＤＣＨが伝送されなかったことを確かめ、ＤＰＣＣＨに割り当てられた（Ｉ、４、１）コードをＥ−ＤＰＤＣＨのためにさらに割り当てる。
【００７５】
また、上記ステップＳ６０８において、上記ＵＥは、Ｅ−ＤＰＤＣＨのために２つのＯＶＳＦコードをさらに割り当てなければならない状況であれば、すなわち、上記ＴＴＩでＨＳ−ＤＰＣＣＨ及びＤＰＤＣＨがサービスされていなければ、ステップＳ６１６において、さらに上記ＤＰＤＣＨに割り当てられた（Ｉ、４、１）コードとＨＳ−ＤＰＣＣＨに割り当てられた（Ｑ、４、１）コードをＥ−ＤＰＤＣＨにさらに割り当てる。
【００７６】
上記ステップＳ６０６において、同時に伝送されるＥ−ＤＰＤＣＨの数（Ｎ）がＥ−ＤＰＤＣＨ専用のＯＶＳＦコードを用いて伝送可能なチャンネル数（Ｍ）よりも少ない場合（Ｎ＜Ｍ）には、すなわち、上記Ｅ−ＤＰＤＣＨ専用のＯＶＳＦコードを用いてデータレートを満足する場合には、ステップＳ６１８へ進み、所要のＮ個のＥ−ＤＰＤＣＨ専用のコードをＥ−ＤＰＤＣＨにさらに割り当てる。ステップＳ６２０において、ＵＥは、決められたＯＶＳＦコードを用いてＥ−ＤＰＤＣＨと既定のＥ−ＴＦＩを一緒に伝送する。
【００７７】
図７は、本発明によりＨＳ−ＤＰＣＣＨのコードを再利用する場合の基地局の受信動作を示す図である。
図７を参照すると、ステップＳ７００において、ノードＢは、上記ＴＴＩで上りリンク物理チャンネルを受信する。ステップＳ７０２において、受信したＥ−ＤＰＤＣＨデータを復調するために、Ｅ−ＴＦＩに対する復調及び復号を行い、上記Ｅ−ＴＦＩから上記ＴＴＩで伝送されたＥ−ＤＰＤＣＨの数を確かめる。
【００７８】
ステップＳ７０４において、ノードＢは、上記Ｅ−ＤＰＤＣＨの数（Ｎ）がＥ−ＤＰＤＣＨ専用に割り当てられたＯＶＳＦコードの数（Ｍ）よりも多いかどうかを確かめる。上記ステップＳ７０４において、上記ＮがＭよりも多ければ、ステップＳ７０６へ進む。
【００７９】
ステップＳ７０６において、ノードＢは、伝送されたＥ−ＤＰＤＣＨの数（Ｎ）がＥ−ＤＰＤＣＨ専用に割り当てられたコードの数（Ｍ）よりも１つ多いかどうかを確かめる。このとき、上記ＮがＭよりも１つ多ければ、ステップＳ７０８へ進む。ステップＳ７０８において、ＨＳ−ＤＰＣＣＨが同時に伝送されたかどうかをＨＳ−ＤＰＣＣＨの伝送タイミング設定値から確かめる。
【００８０】
このとき、上記ＨＳ−ＤＰＣＣＨが同時に伝送されなかった場合、ステップＳ７１２へ進む。ステップＳ７１２において、ノードＢは、ＨＳ−ＤＰＣＣＨに代わりにＥ−ＤＰＤＣＨのために用いられた（Ｑ、４、１）コードを用いてＥ−ＤＰＤＣＨデータをさらに復調する。
【００８１】
また、上記ステップＳ７０８において、上記ＨＳ−ＤＰＣＣＨがＥ−ＤＰＤＣＨＴＴＩで同時に伝送されたならば、ステップＳ７１０へ進み、ＤＰＣＣＨの代わりにＥ−ＤＰＤＣＨのために用いられた（Ｉ、４、１）コードを用いてＥ−ＤＰＤＣＨデータをさらに復調する。
【００８２】
これに対し、上記ステップＳ７０６において、上記ノードＢは、Ｅ−ＴＦＩを復号後、Ｅ−ＤＰＤＣＨの数（Ｎ）がＥ−ＤＰＤＣＨ専用に割り当てられたコードの数（Ｍ）よりも２つ多ければ、ステップＳ７１４へ進む。これは、上記ＴＴＩでＨＳ−ＤＰＣＣＨ及びＤＰＤＣＨがサービスされないことを意味する。このため、ステップＳ７１４において、ノードＢは、ＨＳ−ＤＰＣＣＨ及びＤＰＤＣＨの代わりにＥ−ＤＰＤＣＨのために用いられた（Ｉ、４、１）と（Ｑ、４、１）コードを用いてＥ−ＤＰＤＣＨデータをさらに復調する。すなわち、上記ノードＢは、Ｅ−ＴＦＩを通じてＵＥが（Ｉ、４、１）と（Ｑ、４、１）コードをさらに使用することを確かめ、上記の（Ｉ、４、１）と（Ｑ、４、１）コードを用いて上記Ｅ−ＤＰＤＣＨデータをさらに復調するのである。これは、上述したように、上記ＨＳ−ＤＰＣＣＨとＤＰＤＣＨが上記ＴＴＩでいずれも伝送されない場合に限って採用可能である。
【００８３】
ステップＳ７１６において、ノードＢは、Ｅ−ＤＰＤＣＨに用いられたＥ−ＤＰＤＣＨコードを予め定められたＯＶＳＦコードの割り当て規則によって察知可能である。ステップＳ７１８において、上記Ｅ−ＤＰＤＣＨ専用のコードを用いてＥ−ＤＰＤＣＨデータを復調することができる。
【００８４】
前述したように、第１の実施の形態においては、Ｅ−ＤＰＤＣＨ専用のＯＶＳＦコードが初期の呼びの設定時に割り当てられ、ＤＰＤＣＨ及びＨＳ−ＤＰＣＣＨに割り当てられたＯＶＳＦコードが必要に応じてＥ−ＤＰＤＣＨにさらに再利用される技術である。
【００８５】
第２の実施の形態
以下、上記第２の実施の形態と関連して、Ｅ−ＤＰＤＣＨ専用のＯＶＳＦコードが初期に定められることなく、各ＴＴＩごとにＤＰＤＣＨ、ＤＰＣＣＨ、ＨＳ−ＤＰＣＣＨなどの物理チャンネルの伝送に使用できずに残ったコードをＥ−ＤＰＤＣＨに動的に割り当てて用いるようにする技術について説明する。上記場合において、Ｅ−ＤＰＤＣＨの伝送に用いられたＯＶＳＦコード及びＩ／Ｑチャンネル情報を直接的にノードＢにシグナリングする必要がなく、Ｅ−ＴＦＩに載せられたＥＵＤＣＨデータブロックの大きさ及びチャンネルコーディング情報だけでノードＢが正常にＥ−ＤＰＤＣＨデータを復調することができる。
【００８６】
図８は、本発明の第２の実施の形態により、Ｅ−ＤＰＤＣＨコードを動的に割り当てるユーザー端末の送信動作を示す。そして、図９は、ノードＢによる上記動的に割り当てられたＥ−ＤＰＤＣＨのデータ復調の手順を示す。これは、図１０に示すように、ＤＰＤＣＨ１０００とＥ−ＤＰＤＣＨ１００２のフレーム長とタイミングが一致する場合に主として適用可能な技術である。
【００８７】
図１０を参照すると、上記ＤＰＣＣＨ１０１０とＥ−ＤＰＣＣＨ１０１２のフレーム長は１０ｍｓ１００４であり、上記ＤＰＤＣＨ１０１１を介して伝送されるデータブロックの大きさ及びチャンネルコーディング情報を示すＴＦＣＩ１００６はＤＰＣＣＨ１０１０を介して伝送される。
【００８８】
また、Ｅ−ＤＰＤＣＨ１０１３を介して伝送されるデータブロックの大きさ及びチャンネルコーディング情報を示すＥ−ＴＦＩ１００８は、Ｅ−ＤＰＣＣＨ１０１２の該当フィールドを介して伝送される。また、上記Ｅ−ＴＦＩ情報はＥ−ＤＰＣＣＨを介して伝送されると想定しているが、上記Ｅ−ＴＦＩ情報は、Ｅ−ＤＰＤＣＨを介しても伝送可能であり、その場合にも、後述することが同様に適用可能である。ここで、上記ＴＦＣＩ及びＥ−ＴＦＩ情報は、１フレーム内において１５本のスロットに分けられて伝送されることが一般的である。
【００８９】
上記のように、Ｅ−ＤＰＤＣＨとＤＰＤＣＨの伝送タイミングが一致する場合、ＵＥの遊休ＯＶＳＦコード資源をＥ−ＤＰＤＣＨの伝送に最大限に割り当てることが可能になり、上りリンクのシグナリングオーバーヘッドの増加を抑えながらも、Ｅ−ＤＰＤＣＨを介して伝送されたデータをノードＢが容易に復調することができる。
【００９０】
すなわち、ＵＥがＥ−ＤＰＤＣＨに用いられたＯＶＳＦコード及びＩ／Ｑチャンネル情報をノードＢに直接的に報知する必要がなく、上記Ｅ−ＴＦＩを用いてＥＵＤＣＨデータブロックの大きさ及びチャンネルコーディング情報をノードＢに伝送する。このため、上記ノードＢは、Ｅ−ＴＦＩだけでＥ−ＤＰＤＣＨデータを正常に復調することができる。
【００９１】
このとき、上記Ｅ−ＤＰＤＣＨのＯＶＳＦコード及びＩ／Ｑチャンネルの割り当ては、下記の要素によって決められる。
１．該当ＴＴＩで伝送されるＤＰＤＣＨの数及びＯＶＳＦコード
２．ＨＳ−ＤＰＣＣＨの設定有無
３．伝送されるＥＵＤＣＨデータブロックの大きさ及びＥ−ＤＰＤＣＨの数
【００９２】
これと関連し、下記表３及び表４は、現在ＴＴＩで伝送されるＤＰＤＣＨ及びＥ−ＤＰＤＣＨの数によってＤＰＤＣＨ及びＥ−ＤＰＤＣＨがどのＯＶＳＦコード及びＩ／Ｑチャンネルを用いるかを示している。下記表３と表４におけるコードの割り当て規則は、該当ＴＴＩでＤＰＤＣＨ及びＨＳ−ＤＰＣＣＨによって使用されていないＯＶＳＦコード及びＩ／ＱチャンネルをＥ−ＤＰＤＣＨに用いるようにしている。また、下記表３と表４から明らかなように、各ＴＴＩごとに伝送されるＤＰＤＣＨの数によってＥ−ＤＰＤＣＨが用いるＯＶＳＦコード及びＩ／Ｑチャンネルが変わる。このとき、ＳＦＥ−ＤＰＤＣＨとしては、４、８、１６、３２、６４、１２８、２５６、５１２などが適用可能である。
【００９３】
上記のＥ−ＤＰＤＣＨコードの割り当て規則は、既存の規格との互換性を取るために、ＤＰＤＣＨ及びＨＳ−ＤＰＣＣＨのコードの割り当て規則は現在のＷＣＤＭＡ標準規格に準拠している。表３は、ＨＳ−ＤＰＣＣＨが設定されていない場合、あるいは、ＨＳ−ＤＰＣＣＨが設定され、且つ、最大伝送可能なＤＰＤＣＨが２以上である場合を示す。
【００９４】
【表３】
2007519363.tif 000008
また、下記表４は、ＨＳ−ＤＰＣＣＨが設定され、且つ、最大伝送可能なＤＰＤＣＨが１本である場合を示す。
【００９５】
【表４】
2007519363.tif 000009
上記のように２つの場合に分ける理由は、上記表４に示すように、最大伝送可能なＤＰＤＣＨが１本である場合には、ＨＳ−ＤＰＣＣＨがＱチャンネルにおいてＯＶＳＦコード（２５６、６４）を用いて伝送されるため、Ｅ−ＤＰＤＣＨがＱチャンネルにおいてＯＶＳＦコード（４、１）を使用するしかないためである。これに対し、最大伝送可能なＤＰＤＣＨが２以上である場合には、ＨＳ−ＤＰＣＣＨが（Ｉ、２５６、１）若しくは（Ｑ、２５６、３２）コードを用いるため、ＨＳ−ＤＰＣＣＨが設定されない場合と同じＥ−ＤＰＤＣＨコード割り当て規則を適用することができる。
また、下記表５及び下記表６は、上記表３及び表４とは異なり、Ｅ−ＤＰＤＣＨに対するＩ及びＱチャンネルの割り当て順番を変えた場合を示す。すなわち、Ｅ−ＤＰＤＣＨが同じインデックスのＯＶＳＦコードに対してＱチャンネルに先に割り当てられ、Ｉチャンネルは、その後で割り当てられることを基本的な原則とする。
【００９６】
【表５】
2007519363.tif 000010
【表６】
2007519363.tif 000011
【００９７】
上記表５と表６において、ＳＦＤＰＤＣＨとＳＦＥ−ＤＰＤＣＨは、４、８、１６、３２、６４、１２８、２５６、５１２などの値を有しうる。このとき、上記Ｅ−ＤＰＤＣＨは、同じインデックスのＯＶＳＦコードに対してＱチャンネルに先に割り当て、さらにＩチャンネルに割り当てられる。
【００９８】
上記表５から明らかなように、最大伝送可能なＤＰＤＣＨの数が０本であり、且つ、Ｅ−ＤＰＤＣＨの数が１本である場合、ＯＶＳＦコード（４、１）が上記Ｅ−ＤＰＤＣＨに割り当てられてＱチャンネルにおいて伝送される。このとき、データ伝送率を満足するために、１本のチャンネルがさらに割り当てられてＥ−ＤＰＤＣＨの数が２本となれば、ＯＶＳＦコード（４、１）をＩチャンネルにさらに割り当てる。一方、上記表５において、最大伝送可能なＤＰＤＣＨの数が１本であり、且つ、２本のＥ−ＤＰＤＣＨが伝送されるとき、Ｅ−ＤＰＤＣＨには（Ｑ、４、１）と（Ｑ、４、３）コードが用いられる。
【００９９】
さらに、上記表６において、最大伝送可能なＤＰＤＣＨの数が１本であり、且つ、ＨＳ−ＤＰＣＣＨが存在する場合、Ｅ−ＤＰＤＣＨは、ＨＳ−ＤＰＣＣＨが（Ｑ、２５６、６４）コードを用いるため、ＯＶＳＦコード（Ｑ、ＳＦＥ−ＤＰＤＣＨ、ＳＦＥ−ＤＰＤＣＨ／４）は用いることができない。このとき、ＤＰＤＣＨが伝送されず、且つ、Ｅ−ＤＰＤＣＨは２本が伝送されるＴＴＩで、Ｅ−ＤＰＤＣＨは、ＯＶＳＦコード（Ｑ、４、１）の代わりに（Ｉ、４、１）と（Ｑ、４、３）を使用する。そして、各ＴＴＩごとにＤＰＤＣＨの伝送チャンネル数によって異なるＥ−ＤＰＤＣＨのＯＶＳＦコードは、ノードＢがＤＰＤＣＨのＴＦＣＩを復号してＤＰＤＣＨの伝送チャンネルの数を認知することにより察知可能である。
【０１００】
図８は、本発明の第２の実施の形態によるユーザー端末の送信動作を示す図である。
図８を参照すると、ステップＳ８００において、ＵＥは、当該ＥＵＤＣＨパケットデータを伝送するＴＴＩでＤＰＤＣＨが何本伝送されるかを確かめ、上記ＴＴＩでＥ−ＤＰＤＣＨの伝送のために使用可能なコードを把握する。
【０１０１】
ステップＳ８０２において、ＵＥは、上記ＴＴＩで伝送すべきＥＵＤＣＨデータレート及び使用可能なＯＶＳＦコード資源を考慮して、同時に伝送すべきＥ−ＤＰＤＣＨの数を決める。このとき、上記ＴＴＩで伝送されるＤＰＤＣＨの数が少ないことは、伝送可能なＥ−ＤＰＤＣＨの数が多いことを言う。
【０１０２】
ステップＳ８０４において、上記決められたＥＵＤＣＨデータレートを基にＥ−ＴＦＩを設定する。
ステップＳ８０６において、ＵＥは、Ｅ−ＤＰＤＣＨに適用するＯＶＳＦコード及びＩ／Ｑチャンネルを上記決められたＥ−ＤＰＤＣＨの数及びデータレート、そしてＤＰＤＣＨの数を考慮して、上記表３及び表４または表５及び表６によって決める。
【０１０３】
例えば、現在ＴＴＩで伝送すべきＤＰＤＣＨが１本、Ｅ−ＤＰＤＣＨが３本であり、且つ、ＨＳ−ＤＰＣＣＨが設定されない場合を想定すれば、表３から明らかなように、ＤＰＤＣＨには（Ｉ、ＳＦＤＰＤＣＨ、ＳＦＤＰＤＣＨ／４）コードを用い、Ｅ−ＤＰＤＣＨは（Ｑ、４、１）、（Ｉ、４、３）、（Ｑ、４、３）を用いて伝送しなければならない。
【０１０４】
他の例として、現在ＴＴＩで伝送すべきＤＰＤＣＨが１本、Ｅ−ＤＰＤＣＨが３本であり、ＨＳ−ＤＰＣＣＨが設定された場合であれば、ＨＳ−ＤＰＣＣＨが（Ｑ、２５６、６４）コードを使用するため、表４を基に、Ｅ−ＤＰＤＣＨは、（Ｉ、４、３）、（Ｑ、４、３）、（Ｉ、４、２）を割り当てられる。
【０１０５】
さらに他の例として、現在ＴＴＩで伝送すべきＤＰＤＣＨが１本、Ｅ−ＤＰＤＣＨが３本であり、ＨＳ−ＤＰＣＣＨが設定されない場合を想定すると、表５から明らかなように、ＤＰＤＣＨには（Ｉ、ＳＦＤＰＤＣＨ、ＳＦＤＰＤＣＨ／４）コードを用いて、且つ、Ｅ−ＤＰＤＣＨは（Ｑ、４、１）、（Ｑ、４、３）、（Ｉ、４、３）を用いて伝送しなければならない。さらに他の例として、現在ＴＴＩで伝送すべきＤＰＤＣＨが１本、Ｅ−ＤＰＤＣＨが３本であり、ＨＳ−ＤＰＣＣＨが設定された場合であれば、ＨＳ−ＤＰＣＣＨが（Ｑ、２５６、６４）コードを用いるため、表６から明らかなように、Ｅ−ＤＰＤＣＨは（Ｑ、４、３）、（Ｉ、４、３）、（Ｑ、４、２）を割り当てる。
【０１０６】
ステップＳ８０８において、ＵＥは、上記ＤＰＤＣＨ及びＥ−ＤＰＤＣＨなどの上りリンク物理チャンネルを伝送する。このとき、上記物理チャンネルは、図１０に示すように、フレーム長及び伝送タイミングが一致する。
【０１０７】
図９は、本発明の第２の実施の形態によるノードＢの受信動作を示す。
図９を参照すると、ステップＳ９００において、ノードＢは、現在ＴＴＩで受信した上りリンク受信信号をチップ単位でバッファに格納する。これと同時に、ノードＢは、ステップＳ９０２において、Ｅ−ＴＦＩ及びＴＦＣＩの復調及び復号を行う。上記Ｅ−ＴＦＩ及びＴＦＣＩを復号することにより、ノードＢは、Ｅ−ＤＰＤＣＨ及びＤＰＤＣＨを介して伝送されたデータブロックの大きさとチャンネルコーディング情報などが察知可能である。もし、図１０とは異なり、Ｅ−ＴＦＣＩ、Ｅ−ＤＰＤＣＨ及びＤＰＤＣＨの伝送タイミングが一致しなければ、ノードＢは、ＤＰＤＣＨのＴＦＣＩ情報をいずれも受信するまでＥ−ＤＰＤＣＨの復調を遅らさなければならない。ステップＳ９０４及びステップＳ９０６において、ノードＢは、上記情報から、上記ＴＴＩに伝送されたＤＰＤＣＨ及びＥ−ＤＰＤＣＨの数が察知可能である。
【０１０８】
ステップＳ９０８において、ノードＢは、伝送されたＤＰＤＣＨとＥ−ＤＰＤＣＨの数とデータレート情報を基に定められたコード割り当て規則によって、Ｅ−ＤＰＤＣＨに用いられたＥ−ＤＰＤＣＨのＯＶＳＦコード及びＩ／Ｑチャンネルが察知可能である。
【０１０９】
これにより、ステップＳ９１０において、Ｅ−ＤＰＤＣＨを介して伝送されたＥＵＤＣＨデータを復調する。
【０１１０】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【０１１１】
【図１】上りリンク伝送を行うユーザー端末と基地局を示す図である。
【図２】上りリンク伝送を行うためにユーザー端末と基地局との間に送受される情報を示す図である。
【図３】通常のＯＶＳＦコードのツリー構造を示す図である。
【図４】本発明の第１の実施の形態による、ＤＰＤＣＨのＯＶＳＦコードをＥ−ＤＰＤＣＨに再利用するユーザー端末の送信動作を示す図である。
【図５】本発明の第１の実施の形態による、図４に対応する基地局の受信動作を示す図である。
【図６】本発明の第１の実施の形態による、ＤＰＤＣＨ及びＨＳ−ＤＰＣＣＨのＯＶＳＦコードをＥ−ＤＰＤＣＨに再利用するユーザー端末の送信動作を示す図である。
【図７】本発明の第１の実施の形態による、図６に対応する基地局の受信動作を示す図である。
【図８】本発明の第２の実施の形態による、動的にＥ−ＤＰＤＣＨにＯＶＳＦコードを割り当てるユーザー端末の送信動作を示す図である。
【図９】本発明の第２の実施の形態による基地局の受信動作を示す図である。
【図１０】本発明による上りリンク物理チャンネルの構造及びタイミングを示す図である。
【符号の説明】
【０１１２】
１００  ノードＢ
１１０，１１２，１１４，１１６  ＵＥ
【図１】
2007519363.tif 000012
【図２】
2007519363.tif 000013
【図３】
2007519363.tif 000014
【図４】
2007519363.tif 000015
【図５】
2007519363.tif 000016
【図６】
2007519363.tif 000017
【図７】
2007519363.tif 000018
【図８】
2007519363.tif 000019
【図９】
2007519363.tif 000020
【図１０】
2007519363.tif 000021
【国際調査報告】
2007519363.tif 000022
2007519363.tif 000023